(57)【特許請求の範囲】
【請求項１】
画像形成がなされた用紙を積載する排紙トレイを複数備えた画像形成装置において、
予約ジョブについて排紙トレイを選択する設定画面を表示する表示部と、
各排紙トレイにおける用紙の現積載量を検出する検出部と、
前記検出された各排紙トレイの現積載量を、一つの前記設定画面上に同時に表示させる制御部と、を備え、
前記制御部は、予約ジョブの実行により積載されるであろう予測積載量を算出し、前記各排紙トレイの現積載量とともに、前記算出された予測積載量を表示させる画像形成装置。
【請求項２】
予約ジョブの原稿を読み取る画像読取部を備え、
前記制御部は、前記画像読取部により読み取られた原稿の枚数を元に前記予測積載量を算出する請求項１に記載の画像形成装置。
【請求項３】
操作部を備え、
前記制御部は、前記操作部を介して予約ジョブの原稿の枚数が入力されると、当該原稿の枚数を元に前記予測積載量を算出する請求項１に記載の画像形成装置。
【請求項４】
前記制御部は、前記現積載量又は前記予測積載量を、各排紙トレイの最大積載量に対する相対値で表す請求項１〜３の何れか一項に記載の画像形成装置。
【請求項５】
前記制御部は、前記現積載量又は前記予測積載量を、各排紙トレイに用紙を積載した画像により表す請求項１〜３の何れか一項に記載の画像形成装置。
【請求項６】
前記制御部は、前記予測積載量を、前記現積載量と異なる表示態様で表示させる請求項１〜５の何れか一項に記載の画像形成装置。
【請求項７】
前記制御部は、複数の予約ジョブがある場合、予約ジョブ毎に前記予測積載量を異なる表示態様で表示させる請求項６に記載の画像形成装置。
【請求項８】
操作部を備え、
前記制御部は、複数の排紙トレイのうち、前記操作部を介して一の排紙トレイが選択されると、当該選択された排紙トレイの現積載量と予測積載量との合計積載量が、当該排紙トレイの最大積載量を超えるか否かを判断し、超える場合にはその旨を前記表示部により表示させる請求項１に記載の画像形成装置。
【請求項９】
前記制御部は、前記合計積載量が排紙トレイの最大積載量を超える旨を示すメッセージを表示させる請求項８に記載の画像形成装置。
【請求項１０】
前記制御部は、前記合計積載量が排紙トレイの最大積載量を超える旨を示す画像を表示させる請求項８に記載の画像形成装置。
【請求項１１】
前記制御部は、前記操作部を介して他の排紙トレイに変更操作されるまで、最大積載量を超える旨の表示を継続する請求項８〜１０の何れか一項に記載の画像形成装置。
【請求項１２】
前記制御部は、前記現積載量又は前記予測積載量が変動すると、変動後の積載量に応じて前記設定画面における現積載量又は予測積載量を更新して表示させる請求項１〜１１の何れか一項に記載の画像形成装置。
【発明の詳細な説明】
【技術分野】
【０００１】
本発明は、画像形成装置に関する。
【背景技術】
【０００２】
画像形成装置では画像形成後に排紙された用紙を排紙トレイに積載する。積載量が排紙トレイの最大積載量に達すると、画像形成装置では一旦画像形成自体を停止するか、或いは異なる排紙トレイに排紙先を切り替えていた。
【０００３】
前者の場合、画像形成が停止されている間、画像形成装置の稼働率が低下することとなる。ユーザが積載された用紙を排紙トレイから取り出さなければ画像形成が再開されないため、連続して画像形成する際にはユーザが常時積載量をチェックしなければならなかった。また、後者の場合には、異なる排紙トレイに積載された用紙を、ユーザがそれぞれ収集しなければならず、煩雑である。
【０００４】
このような問題に対し、ユーザが排紙トレイにおける積載量をチェックしやすいように、排紙トレイの現在の積載量から最大積載量に達するまでの時間を算出して表示する方法が開示されている（例えば、特許文献１参照）。また、一つのジョブに係る用紙は、同一排紙トレイに排出されるように画像形成装置側で１ジョブ分の排紙量を演算してその排紙量分全てを収容可能な排紙トレイを判別して出力するものがある（例えば、特許文献２参照）。
【特許文献１】特開２００４−１７５５１３号公報
【特許文献２】特開平５−１５５５１１号公報
【発明の開示】
【発明が解決しようとする課題】
【０００５】
しかしながら、上述の特許文献１の方法では、ある１つの排紙トレイの積載量を表示するのみであり、また実際に画像形成が実行を開始した後に排紙トレイが最大積載量に達するまでの時間が把握できるのみである。これでは、複数の排紙トレイがある場合は全体的な積載状況がわからず、ユーザ自身が排紙トレイを選択するにあたり、最適な排紙トレイを選択できない。
また、特許文献２に係る方法では、画像形成装置が自動的に排紙先を割り振るため、何れの排紙トレイに用紙が排紙されるのかを、ユーザが画像形成前において確認できない。また、ユーザ自身が用紙を排紙させたい排紙トレイを選択することができない。
【０００６】
本発明の課題は、最適な排紙トレイをユーザが容易に選択可能とすることである。
【課題を解決するための手段】
【０００７】
請求項１の記載によれば、
画像形成がなされた用紙を積載する排紙トレイを複数備えた画像形成装置において、
予約ジョブについて排紙トレイを選択する設定画面を表示する表示部と、
各排紙トレイにおける用紙の現積載量を検出する検出部と、
前記検出された各排紙トレイの現積載量を、一つの前記設定画面上に同時に表示させる制御部と、を備え、
前記制御部は、予約ジョブの実行により積載されるであろう予測積載量を算出し、前記各排紙トレイの現積載量とともに、前記算出された予測積載量を表示させる画像形成装置が提供される。
【０００９】
請求項２の記載によれば、
予約ジョブの原稿を読み取る画像読取部を備え、
前記制御部は、前記画像読取部により読み取られた原稿の枚数を元に前記予測積載量を算出する請求項１に記載の画像形成装置が提供される。
【００１０】
請求項３の記載によれば、
操作部を備え、
前記制御部は、前記操作部を介して予約ジョブの原稿の枚数が入力されると、当該原稿の枚数を元に前記予測積載量を算出する請求項１に記載の画像形成装置が提供される。
【００１１】
請求項４の記載によれば、
前記制御部は、前記現積載量又は前記予測積載量を、各排紙トレイの最大積載量に対する相対値で表す請求項１〜３の何れか一項に記載の画像形成装置が提供される。
【００１２】
請求項５の記載によれば、
前記制御部は、前記現積載量又は前記予測積載量を、各排紙トレイに用紙を積載した画像により表す請求項１〜３の何れか一項に記載の画像形成装置が提供される。
【００１３】
請求項６の記載によれば、
前記制御部は、前記予測積載量を、前記現積載量と異なる表示態様で表示させる請求項１〜５の何れか一項に記載の画像形成装置が提供される。
【００１４】
請求項７の記載によれば、
前記制御部は、複数の予約ジョブがある場合、予約ジョブ毎に前記予測積載量を異なる表示態様で表示させる請求項６に記載の画像形成装置が提供される。
【００１５】
請求項８の記載によれば、
操作部を備え、
前記制御部は、複数の排紙トレイのうち、前記操作部を介して一の排紙トレイが選択されると、当該選択された排紙トレイの現積載量と予測積載量との合計積載量が、当該排紙トレイの最大積載量を超えるか否かを判断し、超える場合にはその旨を前記表示部により表示させる請求項１に記載の画像形成装置が提供される。
【００１６】
請求項９の記載によれば、
前記制御部は、前記合計積載量が排紙トレイの最大積載量を超える旨を示すメッセージを表示させる請求項８に記載の画像形成装置が提供される。
【００１７】
請求項１０の記載によれば、
前記制御部は、前記合計積載量が排紙トレイの最大積載量を超える旨を示す画像を表示させる請求項８に記載の画像形成装置が提供される。
【００１８】
請求項１１の記載によれば、
前記制御部は、前記操作部を介して他の排紙トレイに変更操作されるまで、最大積載量を超える旨の表示を継続する請求項８〜１０の何れか一項に記載の画像形成装置が提供される。
【００１９】
請求項１２の記載によれば、
前記制御部は、前記現積載量又は前記予測積載量が変動すると、変動後の積載量に応じて前記設定画面における現積載量又は予測積載量を更新して表示させる請求項１〜１１の何れか一項に記載の画像形成装置が提供される。
【発明の効果】
【００２０】
請求項１〜３に記載の発明によれば、各排紙トレイの現在の積載状況をユーザは一度に把握することができ、予約ジョブ分の用紙を積載させるべき適切な排紙トレイを容易に選択することができる。ユーザは現積載量だけでなく、予約ジョブにより排紙される用紙分を予測しながら排紙トレイを選択することができる。
【００２２】
請求項４に記載の発明によれば、ユーザは具体的な値により積載状況を把握することができる。
【００２３】
請求項５に記載の発明によれば、ユーザは視覚的に積載状況を把握することができ、排紙トレイの選択が容易となる。
【００２４】
請求項６に記載の発明によれば、予測積載量と現積載量との判別が容易となる。
【００２５】
請求項７に記載の発明によれば、予約ジョブ毎に予測積載量と現積載量との判別が容易となる。
【００２６】
請求項８〜１１に記載の発明によれば、選択した排紙トレイでは予約ジョブにより排紙される用紙を積載しきれないことを事前に把握することができる。
【００２７】
請求項１２に記載の発明によれば、ユーザは常に最新の積載状況を把握することが可能となる。
【発明を実施するための最良の形態】
【００２８】
まず、構成を説明する。
図１に、本実施形態における画像形成装置１００を示す。
画像形成装置１００は、図１に示すように画像形成を行う本体部１０、画像形成がなされて排紙された用紙を積載する複数のスタッカ２０ａ〜２０ｄ等から構成されている。本体部１０には画像読取部２、操作部４、表示部５等が設けられている。
【００２９】
図２に、画像形成装置１００の機能的構成を示す。
図２に示すように、本体部１０は制御部１、画像読取部２、画像形成部３、操作部４、表示部５、記憶部６等から構成されている。
【００３０】
制御部１は、ＣＰＵ（Central Processing Unit）、ＲＡＭ（Random Access Memory）等から構成され、記憶部６に記憶されている制御プログラムとの協働により各種演算を行い、各部の動作を制御する。例えば、一連の画像形成の過程において各部への画像のデータの入出力を制御したり、操作画面の表示制御等を行う。
【００３１】
画像読取部２は、ＡＤＦ（Auto Document Feeder）、スキャナ等を備え、原稿の画像を読み取り、当該画像のデータを生成する処理を行う。読取処理により生成された画像のデータは記憶部６に保存される。
【００３２】
画像形成部３は、制御部１により入力される画像のデータに基づいて用紙上に画像を形成する。画像形成部３の画像形成方式は何れのものであってもよいが、ここでは電子写真方式の場合を例に説明する。電子写真方式の場合、画像形成部３は給紙部、露光部、転写ベルト、現像部、定着部等を備え、露光部のレーザ光源から感光ドラムにレーザ光を照射して露光を行い、静電潜像を形成する。その後、感光ドラムに対し現像部がトナーを吹き付けてできたトナー像を、給紙部から搬送された用紙に転写して画像形成を行う。
【００３３】
操作部４は、操作キーや表示部５と一体に構成されるタッチパネル等から構成され、これらの操作に応じた操作信号を生成して制御部１に出力する。
表示部５はディスプレイを備え、制御部１の表示制御に従って、予約ジョブについての画像形成条件の設定画面や、排紙トレイの選択を行う設定画面等の各種操作画面を表示する。
【００３４】
記憶部６は大容量メモリから構成されている。記憶部６は、制御プログラムやパラメータ等を記憶している。例えば、記憶部６はスタッカ２０ａ〜２０ｄの各排紙トレイＴｎにおいて積載可能な最大積載量の情報を初期設定情報として記憶している。
また、記憶部６は画像読取部２により読み取られた画像のデータ等、画像形成を行う画像のデータを記憶する。
【００３５】
スタッカ２０ａ〜２０ｄは、図２に示すようにそれぞれ排紙トレイＴｎを備えて構成されている。各排紙トレイＴｎ（ｎは各排紙トレイの識別番号を示し、ｎ＝１、２…。以下、同じ）にはそれぞれに対応する検出部Ｓｎが設けられている。
【００３６】
排紙トレイＴｎは、スタッカ２０ａ〜２０ｄ内部において用紙を積載可能に形成される。
具体的には、排紙トレイＴｎはスタッカ２０ａ〜２０ｄ内部を上下に移動するように構成されている。用紙が積載されていない状態で排紙トレイＴｎは移動範囲の上限に位置し、用紙が排紙トレイＴｎ上に積載されるに従って図示しない駆動手段により次第に下方へ移動する。排紙トレイＴｎの最大積載量分の用紙が積載されると、移動範囲の下限に達するように構成されている。
【００３７】
検出部Ｓｎは、排紙トレイＴｎにおける用紙の現積載量（現在の積載量）を検出し、制御部１に検出結果を出力する。
検出部Ｓｎは、排紙トレイＴｎの移動範囲の上限、下限の位置にあることを検出するセンサと、排紙トレイＴｎの移動位置を検出する移動位置センサ等から構成されている。上限、下限のセンサは光センサ等であり、移動位置のセンサはロータリエンコーダ等である。移動位置のセンサは、上限位置のセンサにより排紙トレイＴｎの位置が検出されてから排紙トレイＴｎの移動量をパルス数で計数して出力する。よって、上限位置のセンサの出力を０、下限位置のセンサの出力を最大積載量（枚数）とし、移動位置のセンサの出力をこの０から最大積載量の間の値に変換することにより、移動位置のセンサの出力を現積載量（用紙の枚数）として得ることができる。
【００３８】
具体的には、制御部１が検出部Ｓｎの各センサの出力値を元に、上限位置から移動位置までの排紙トレイＴｎの移動量を算出し、これを上限位置から下限位置までの全移動量で除算して移動率を求める。そして、移動率と最大積載量との積を現積載量として算出する。
なお、センサの出力を０から１００の範囲で換算すれば現積載量を最大積載量に対する相対値で求めることができる。
【００３９】
次に、上記画像形成装置１００の動作を説明する。
図３は、画像形成装置１００により実行される処理の流れを説明するフローチャートである。この処理は、予約ジョブの設定の１つとして、当該予約ジョブによって画像形成がなされる用紙をどの排紙トレイに排紙するかを設定する際に行われる処理である。
【００４０】
予約ジョブについて画像形成条件の設定を終え、次に排紙トレイの設定画面を表示する場合（ステップＳ１；Ｙ）、制御部１は各排紙トレイＴｎに対応する検出部Ｓｎから、各排紙トレイＴｎにおける用紙の現積載量の検出結果を取得する。各排紙トレイＴｎについて、最大積載量を示すＭＡＸｎ、現積載量を示すＮＵＭｎ、予測積載量を示すＲＥＳｎの各パラメータがあるので、制御部１はＮＵＭｎに検出部Ｓｎにより検出された現積載量の値を設定する。なお、最大積載量は予め判明しているので記憶部６に記憶させておいた値を設定することとする。また、既に設定済みの予約ジョブがある場合、当該予約ジョブの実行により画像形成されて積載されるであろう予測積載量が既に算出されているので（後段の処理において算出される）、その予測積載量の値をＲＥＳｎに設定する（ステップＳ２）。
【００４１】
次いで、制御部１は各排紙トレイＴｎについて設定したＭＡＸｎ、ＮＵＭｎ、ＲＥＳｎの値を元に、各排紙トレイＴｎの現在の積載状況を設定画面上に表示させる（ステップＳ３）。具体的には、各排紙トレイＴｎの現状が全体的に把握できるように、制御部１は各排紙トレイＴｎの現積載量を設定画面上に同時に表示させる。
【００４２】
例えば、設定済みの予約ジョブが無い場合、図４に示すような設定画面ｄ１１を表示させる。設定画面ｄ１１において、制御部１は各排紙トレイＴｎ（ｎ＝１〜４）における最大積載量及び現積載量を画像により表す。すなわち、排紙トレイＴｎにおける用紙の収容領域を示す画像及びその収容領域に積載された用紙の画像ｇ１を表示させて、各画像の面積を、最大積載量の用紙の枚数、現積載量の用紙の枚数に応じた面積としている。これにより、ユーザは視覚的にどの排紙トレイＴｎにどれぐらいの割合で現在用紙が積載されているのかを容易に把握することができる。
【００４３】
なお、図５に示す設定画面ｄ１２のように、各排紙トレイＴｎについて、最大積載量に対する現積載量を示す相対値を分数の形式で表示することとしてもよい。図５の例では、相対値を原稿枚数で表している。例えば排紙トレイＴ１については「２１７／５００」の相対値ｇ２を表示させ、最大積載量（枚数）が「５００」であり、現積載量（枚数）は「２１７」であることを示す。このように、具体的な値を表示することにより、ユーザはより正確に積載状況を把握することが可能となる。なお、相対値は分数ではなく、％表示や小数点を用いた形式で表すこととしてもよい。
【００４４】
また、図５に示すように現積載量が０、つまり積載されている用紙が全く無い排紙トレイＴｎや現積載量が最大積載量と略同一の排紙トレイＴｎについては、その他の排紙トレイＴｎと異なる色や模様を付す等、異なる表示態様で示すこととしてもよい。図５に示す設定画面ｄ１２では、現積載量０の排紙トレイＴ４を青色で表示し、現積載量が最大積載量５０００に達している排紙トレイＴ２を赤色で表示した例を示している。ユーザが排紙トレイＴｎの選択を行うにあたっては、なるべく現積載量が最小である排紙トレイＴｎを対象とし、逆に現積載量が最大に達している排紙トレイＴｎは選択の対象外とするため、これらの排紙トレイＴｎを容易に判別可能とすることにより、排紙トレイＴｎの選択が容易となる。
【００４５】
また、設定済みの予約ジョブがある場合、制御部１は図６に示すような設定画面ｄ１３を表示させる。設定画面ｄ１３では、制御部１は各排紙トレイＴｎの現積載量とともに予約ジョブの予測積載量を表示させる。設定済みの予約ジョブについては排紙トレイＴｎも選択済みであるので、その選択された排紙トレイＴｎの現積載量を示す用紙の画像ｇ１に予測積載量を示す用紙の画像ｇ３を加えて表示させる。このとき、予測積載量を示す用紙の画像ｇ３の色を現積載量と異なる色で表示させる等、表示態様を異ならせる。異なる表示態様とすることにより、既に積載されている用紙と、これから積載される予定の用紙とを容易に判別することが可能となる。
設定済みの予約ジョブが複数ある場合には、図７に示す設定画面ｄ１４のように予約ジョブ毎に予測積載量を示す用紙の画像ｇ３の表示態様を異なるものとしてもよい。積載予定の用紙を予約ジョブ毎に判別することが可能となる。
【００４６】
ユーザは、上記設定画面ｄ１１〜ｄ１４に表示された積載状況を見て、これから設定する予約ジョブの実行により画像形成される用紙を何れの排紙トレイＴｎに積載するかを判断する。そして、設定画面ｄ１１〜ｄ１４において何れかの排紙トレイＴｎを操作部４により選択操作する。
【００４７】
制御部１は、操作部４を介して何れかの排紙トレイＴｎが選択操作されると（ステップＳ４；Ｙ）、予約ジョブの原稿枚数は設定済みか否かを判断する（ステップＳ５）。原稿枚数が設定済みである場合（ステップＳ５；Ｙ）、ステップＳ７の処理に移行する。一方、原稿枚数が設定済みではない場合（ステップＳ５；Ｎ）、予約ジョブの原稿枚数の設定画面を表示部５に表示させ、この設定画面において原稿を画像読取部２にセットするようメッセージを表示部５上に表示させる（ステップＳ６）。その後、画像読取部２において原稿がセットされたのを検知すると、画像読取部２は原稿の画像の読取処理を開始する。制御部１は読取時に、図８に示すように設定画面ｄ１２において原稿枚数を確認している旨のメッセージを表示させる。
【００４８】
次いで、制御部１は画像読取部２により読み取られた原稿の枚数から予約ジョブの予測積載量を算出し、選択された排紙トレイＴｎのＲＥＳｎに設定する（ステップＳ７）。すなわち、画像読取部２により読み取られた原稿の枚数を計数し、当該原稿枚数の値を予測積載量としてＲＥＳｎに設定する。
なお、設定画面ｄ１２において操作部４を介してユーザが原稿枚数を入力操作し、その入力された原稿枚数の値を予測積載量としてＲＥＳｎに設定することとしてもよい。
ここで算出された予測積載量が、次の予約ジョブを設定する際にステップＳ２の処理で設定済みの予約ジョブの予測積載量として用いられることになる。
【００４９】
次いで、制御部１は（ＮＵＭ＋ＲＥＳｎ）＞ＭＡＸｎとなるか、つまり現積載量と予測積載量の合計積載量が、選択された排紙トレイＴｎの最大積載量を超えるか否かを判断する（ステップＳ８）。
【００５０】
最大積載量を超える場合、制御部１は選択された排紙トレイＴｎでは最大積載量を超える旨を通知するための表示を表示部５により行わせる（ステップＳ９）。例えば、制御部１は図９に示す設定画面ｄ３を表示させ、この設定画面ｄ３において最大積載量を超える旨を通知する「積載オーバー」のメッセージｇ４を表示させる。或いは、図９に示すように排紙トレイＴｎの収容領域を超える用紙の画像ｇ５を表示させる等して、最大積載量を超える旨を画像により表す。
【００５１】
この設定画面ｄ３では、排紙トレイＴｎの選択を変更することが可能である。ユーザにより排紙トレイＴｎの変更操作がされない限り（ステップＳ１０；Ｎ）、制御部１は他の操作を無効とし、ステップＳ９の処理に戻って最大積載量を超える旨の表示を継続する。
【００５２】
ユーザにより排紙トレイＴｎの変更操作がなされると（ステップＳ１０；Ｙ）、制御部１は最大積載量を超える旨の表示を非表示とする。そして、変更前の排紙トレイＴｎのＲＥＳｎの値を、変更後の排紙トレイＴｎのＲＥＳｎに設定変更し、その変更後のＭＡＸｎ、ＮＵＭｎ、ＲＥＳｎの値を元に積載状況の表示を更新させる（ステップＳ１１）。図１０は、更新表示後の設定画面ｄ４の例である。
なお、制御部１は設定画面ｄ１１〜ｄ１４の表示中に、予約ジョブの実行終了、新たな予約ジョブの設定等により、現積載量又は予測積載量に変動があると、変動後の積載量に応じてＭＡＸｎ、ＮＵＭｎ、ＲＥＳｎの値を設定変更し、その変更後のＭＡＸｎ、ＮＵＭｎ、ＲＥＳｎの値を元に各排紙トレイＴｎの積載状況の表示を更新させる。
【００５３】
以上のように、本実施形態によれば、複数ある排紙トレイＴｎのそれぞれについて現積載量を検出し、排紙トレイＴｎを選択する設定画面上において同時に表示させる。これにより、ユーザは排紙トレイＴｎを選択するにあたり、各排紙トレイＴｎの現在の積載状況を容易に把握することができ、予約ジョブ分の用紙を積載させるべき適切な排紙トレイＴｎを選択することが可能となる。
【００５４】
また、予約ジョブの実行により積載されるであろう予測積載量を算出し、選択された排紙トレイＴｎの現積載量とともに予測積載量を表示させるので、ユーザは排紙される用紙分も予測しながら排紙トレイＴｎを選択することができる。
予測積載量は、画像読取部２の読取処理において計数された原稿枚数から算出するので、読取処理と同時に予測積載量の算出も可能となり、効率が良い。
【００５５】
また、設定画面において、現積載量や予測積載量は各排紙トレイＴｎに用紙を積載した画像で示すので、ユーザは視覚的に積載状況を把握しやすい。また、現積載量や予測積載量を最大積載量に対する相対値で表す場合、具体的な積載状況を認識しやすくなる。
さらに、予測積載量を現積載量と異なる表示態様とすることにより、両者を判別しやすくすることができる。複数の予約ジョブがある場合、各予約ジョブによる予測積載量を異なる表示態様とするので、予約ジョブ毎に予測積載量を判別しやすくなる。
【００５６】
また、現積載量と予測積載量との合計積載量が、選択された排紙トレイＴｎの最大積載量を超える場合、その旨を示すメッセージや画像を表示させるので、ユーザは選択した排紙トレイＴｎでは予約ジョブにより排紙される用紙を積載しきれないことを容易に把握することができる。
【００５７】
また、予約ジョブの実行や新たな予約ジョブの設定、或いは積載された用紙が排紙トレイＴｎから取り出される等して、積載状況が変動すると、変動後の現積載量、予測積載量を検出、演算等して、更新表示する。これにより、常に最新の積載状況をユーザは把握することができる。
【００５８】
なお、上記実施形態は本発明を適用した好適な一例であり、これに限定されない。
例えば、１つの予約ジョブによる用紙を複数の排紙トレイに分散して排紙することが可能な構成である場合には、設定画面ｄ１１〜ｄ１４において排紙トレイＴｎを複数選択すればよい。この場合、各排紙トレイＴｎについて現積載量を一度に把握できるように同時に表示する構成は、複数の排紙トレイＴｎを選択する上でより有効である。
【図面の簡単な説明】
【００５９】
【図１】本実施形態における画像形成装置を示す図である。
【図２】図１の画像形成装置の機能的構成を示す図である。
【図３】画像形成装置により実行される処理の流れを示すフローチャートである。
【図４】排紙トレイを選択する設定画面例を示す図である。
【図５】排紙トレイを選択する設定画面例を示す図である。
【図６】排紙トレイを選択する設定画面例を示す図である。
【図７】排紙トレイを選択する設定画面例を示す図である。
【図８】予約ジョブの原稿枚数を設定する設定画面例を示す図である。
【図９】最大積載量を超える旨の表示例を示す図である。
【図１０】排紙トレイを再選択する設定画面例を示す図である。
【符号の説明】
【００６０】
１００  画像形成装置
１０  本体部
１  制御部
２  画像読取部
３  画像形成部
４  操作部
５  表示部
６  記憶部
２０ａ〜２０ｄ  スタッカ
Ｓｎ  検出部
Ｔｎ  排紙トレイ
【図１】
0004466694.tif 000002
【図２】
0004466694.tif 000003
【図３】
0004466694.tif 000004
【図４】
0004466694.tif 000005
【図５】
0004466694.tif 000006
【図６】
0004466694.tif 000007
【図７】
0004466694.tif 000008
【図８】
0004466694.tif 000009
【図９】
0004466694.tif 000010
【図１０】
0004466694.tif 000011